(57)【要約】【課題】素子アンテナと送受信モジュールは電気コネクタを介して直接接続されていたため、送受信モジュールのサイズの制約により素子アンテナの配列間隔を狭くすることができなかった。【解決手段】素子アンテナ１と、この素子アンテナが所定間隔だけ離隔して配設された反射板２と、この反射板２と対向する方向に開口する筐体１４内に収納される送受信モジュール３と、素子アンテナ１と送受信モジュール３を電気的に接続する接続ケーブル４を設けた。【選択図】          図１
2004215159.tif 000002
【特許請求の範囲】
【請求項１】
素子アンテナと、この素子アンテナが所定間隔だけ離隔して配設された反射板と、この反射板が設けられる方向に開口する筐体内に収納されて、前記素子アンテナを励振させる送受信モジュールと、前記素子アンテナと前記送受信モジュールを電気的に接続する接続ケーブルとを設けたことを特徴とするフェーズドアレイアンテナ装置。
【請求項２】
接続ケーブルは、素子アンテナと電気的に接続された素子アンテナ側接続ケーブルと、送受信モジュールと電気的に接続されたモジュール側接続ケーブルと、前記素子アンテナ側ケーブルと前記モジュール側接続ケーブルとを接続する中継ケーブルより構成されたことを特徴とする請求項１に記載のフェーズドアレイアンテナ装置。
【請求項３】
反射板は、それぞれ素子アンテナが配設された第１の反射板と第２の反射板に分割されていることを特徴とする請求項１に記載のフェーズドアレイアンテナ装置。
【請求項４】
反射板は、複数の素子アンテナが配列された電波放射面の端部に設けられた回動機構により筐体に回動可能に設けられ、前記筐体の手前方向に開閉可能な開閉扉として機能することを特徴とする請求項１に記載のフェーズドアレイアンテナ装置。
【請求項５】
反射板は、それぞれ素子アンテナが配設された第１の反射板と第２の反射板に分割されており、前記第１の反射板と前記第２の反射板それぞれが回動機構により筐体に回動可能に設けられ、前記筐体の手前方向に開閉可能な開閉扉として機能することを特徴とする請求項１に記載のフェーズドアレイアンテナ装置。
【請求項６】
反射板は、回動軸により筐体の開口面に沿って回動可能に前記筐体に設けられたことを特徴とする請求項１に記載のフェーズドアレイアンテナ装置。
【請求項７】
反射板は、反射板の両端部を摺動可能に支持するスライド機構により筐体に設けられて、前記筐体の開口面に沿って移動することを特徴とする請求項１に記載のフェーズドアレイアンテナ装置。
【請求項８】
筐体は、反射板の回動機構が設けられた端部と反対側の端部を移動させ、反射板に配列された素子アンテナからの電波放射方向を筐体の開口方向に対して角度を変更することを特徴とする請求項４に記載のフェーズドアレイアンテナ装置。
【請求項９】
接続ケーブルは、筐体内部に収納された送受信モジュールの筐体背面側の端部から導出されることを特徴とする請求項１または２に記載のフェーズドアレイアンテナ装置。
【請求項１０】
素子アンテナと、この素子アンテナが所定間隔だけ離隔して配設された反射板と、この反射板が設けられる方向に開口する筐体内に収納されて前記素子アンテナを励振させる送受信モジュールと、前記反射板に対向する面には前記素子アンテナに対応する位置に素子アンテナ用コネクタが形成されて、前記送受信モジュールに対向する面には前記送受信モジュールに対応する位置に送受信モジュール用コネクタが形成され、前記素子アンテナと前記素子アンテナ用コネクタを接続するとともに、前記送受信モジュールと前記送受信モジュール用コネクタを接続することにより、前記素子アンテナと前記送受信モジュールを電気的に接続する中継基板とを設けたことを特徴とするフェーズドアレイアンテナ装置。
【発明の詳細な説明】
【０００１】
【発明の属する技術分野】
この発明はフェーズドアレイアンテナ装置に関するものであり、特にフェーズドアレイアンテナの素子アンテナ、アンテナモジュール、反射板の実装構造に関する。
【０００２】
【従来の技術】
フェーズドアレイアンテナ装置を稼動させた状態においても定期的な保守、点検、整備、並びに故障した送受信モジュールの交換が容易に行えるように、複数のアンテナ素子と、このアンテナ素子に対応して設けられた送受信モジュールを収容した筐体の背面に扉を設け、筐体の背面から送受信モジュールにアクセスするようにしていた。この作業を容易にするために、特開２００１−２０３５３１号公報は送受信モジュールに電源を供給する電源モジュールを背面扉に設け、この電源モジュールと送受信モジュールを電気ケーブルとコネクタを介して接続していた。
【０００３】
【特許文献１】
特開２００１−２０３５３１号公報
【０００４】
【発明が解決しようとする課題】
上記特許文献１によると、素子アンテナと送受信モジュールは接続板を貫通する給電接続体により互いに電気的に接続されていた。このように、素子アンテナと送受信モジュールは電気コネクタを介して直接接続されていたため、素子アンテナの間隔は送受信モジュールのサイズの制約を受けていた。しかしながら、レーダの性能向上のため、素子アンテナをより高密度に実装するためには、素子アンテナの配列間隔をより小さくする必要がある。
【０００５】
また、仮にアンテナ素子の高密度実装が可能な場合においても、アンテナ装置の定期的な保守、点検、整備、並びに故障した送受信モジュールの交換作業が容易に行えるようにする必要がある。この発明は上記課題を解決するためになされたものであり、素子アンテナを高密度に実装した場合であってもメンテナンス作業を容易に行うことができるフェーズドアレイアンテナ装置を提供することを目的とする。
【０００６】
【課題を解決するための手段】
この発明に係るフェーズドアレイアンテナ装置は、素子アンテナと、この素子アンテナが所定間隔だけ離隔して配設された反射板と、この反射板と対向する方向に開口する筐体内に収納され、前記素子アンテナを励振させる送受信モジュールと、前記素子アンテナと前記送受信モジュールを電気的に接続する接続ケーブルとを設けたものである。
【０００７】
【発明の実施の形態】
実施の形態１．
図１はこの発明の実施の形態１に係るフェーズドアレイアンテナ装置の構成を示す説明図である。図１において、素子アンテナ１は反射板２に所定の間隔をあけて配列される。この反射板２に配列された素子アンテナ１は可撓性の接続ケーブル４に接続される。この接続ケーブル４は更に電気コネクタ６を介して、アンテナ筐体１４内に収納されている送受信モジュール３と電気的に接続される。このように素子アンテナ１は送受信モジュール３と接続ケーブル４を介して接続される。接続ケーブル４の長さは、素子アンテナ１と送受信モジュール３を接続するだけでなく、素子アンテナ１が配列された反射板２を回転させたりスライドさせるのに充分な長さになるように形成されている。
【０００８】
上記のように構成されたフェーズドアレイアンテナ装置は、反射板２上に所望の間隔で配列された素子アンテナ１が、アンテナ筐体１４内に収納された送受信モジュール３と接続ケーブル４を介して電気的に接続される。このように構成されたフェーズドアレイアンテナ装置は、例えば図１３に示す一般的なフェーズドアレイアンテナ装置のように、素子アンテナ１と送受信モジュール３が直接接続される場合と異なり、素子アンテナ１の配列間隔は送受信モジュール３のサイズに制約されない。したがって、素子アンテナ１を反射板２上に高密度に実装することが可能となり、フェーズドアレイアンテナの性能改善に寄与する。
【０００９】
また、素子アンテナ１と送受信モジュール３は充分な長さを持つ接続ケーブル４を介して電気的に接続されているので、接続ケーブル４の長さの範囲内で、素子アンテナ１及び反射板２をアンテナ筐体１４及び送受信モジュール３の前面より移動させることが可能になった。また、この接続ケーブル４を外すことは容易であるので、アンテナ装置の定期的な保守、点検、整備、並びに故障した送受信モジュールの交換作業が容易に行うことが可能である。
【００１０】
実施の形態２．
実施の形態１に係るフェーズドアレイアンテナ装置は、素子アンテナ１と送受信モジュール３が接続ケーブル４を介して接続されていた。以下説明する実施の形態３に係るフェーズドアレイアンテナ装置は、素子アンテナ１側のケーブルと、送受信モジュール側のケーブルと、両者を中継するケーブルに３分割された接続ケーブルにより素子アンテナ１と送受信モジュール３を接続したものである。
【００１１】
図２はこの発明の実施の形態２に係るフェーズドアレイアンテナ装置の構成を示す説明図である。図２において、素子アンテナ１と送受信モジュール３を接続する接続ケーブルは、３分割された構成となっている。すなわち、接続ケーブルは、素子アンテナ１側のケーブルである素子アンテナ側接続ケーブル５ａと、送受信モジュール３側のケーブルであるモジュール側接続ケーブル５ｂと、素子アンテナ側接続ケーブル５ａとモジュール側接続ケーブル５ｂを接続する中継ケーブル５ｃより構成される。この中継ケーブル５ｃは、素子アンテナ側接続ケーブル５ａとモジュール側接続ケーブル５ｂからの取外しが容易な形状、例えばＵ字型の形状をしている。そして、この中継ケーブル５ｃを取り外すことにより、素子アンテナ１が配列された反射板２を自在に回転させたり、アンテナ筐体１４の前面から移動させたりすることが可能となる。
【００１２】
実施の形態３．
実施の形態１及び実施の形態２に係るフェーズドアレイアンテナ装置は、１枚の反射板２に複数の素子アンテナ１が配列されていた。以下説明する実施の形態３に係るフェーズドアレイアンテナ装置は、２分割された反射板２に複数の素子アンテナ１を配列して構成されたものである。
【００１３】
図３はこの発明の実施の形態３に係るフェーズドアレイアンテナ装置の構成を示す説明図である。図３において、反射板は反射板２ａ、反射板２ｂに２分割されて構成されている。そして、この２分割された反射板２ａ、反射板２ｂに素子アンテナ１が配列されている。反射板２ａ、２ｂに配設された素子アンテナ１は、実施の形態１において説明したように、接続ケーブル４を介して送受信モジュール３と電気的に接続される。反射板は２ａと２ｂに２分割されているので、アンテナ筐体１４内の送受信モジュール３を交換する際、交換する送受信モジュール３側の反射板２ａまたは２ｂのいずれか一方を移動させればよいので、送受信モジュールの交換作業を含むアンテナ装置の定期的な保守、点検、整備を容易に行うことができる。なお、上記説明では反射板を２分割した場合を説明したが、多数に分割しても構わない。
【００１４】
実施の形態４．
図４はこの発明の実施の形態４に係るフェーズドアレイアンテナ装置の構成を示す説明図である。図４において、素子アンテナ１は反射板２に所定の間隔をあけて配列される。この反射板２に配列された素子アンテナ１は可撓性の接続ケーブル４にそれぞれ接続される。この接続ケーブル４は更に電気コネクタ６を介して、アンテナ筐体１４内に収納されている送受信モジュール３と電気的に接続される。このように、反射板２に配列された素子アンテナ１が接続ケーブル４を介して送受信モジュール３に接続される構成は実施の形態１において説明した構造と同様のものである。
【００１５】
所定間隔で素子アンテナ１が配列された反射板２は、ヒンジ７を用いてアンテナ筐体１４に接続される。このヒンジは反射板２を正面から見た場合に左右いずれかの端部に設けられるため、反射板２は、反射板２はヒンジ７を回転軸として手前方向に開き、アンテナ筐体１４の片側開き扉としての機能を果す。つまり、この素子アンテナ１が設けられた反射板２は、アンテナ筐体１４内の送受信モジュール３にアクセスするための開閉扉として用いられる。反射板２に設けられた各素子アンテナ１と送受信モジュール３を電気的に接続する接続ケーブル４は、メンテナンス作業の障害にならない程度に反射板２を開けることができる充分な長さを持たせておくとよい。
【００１６】
以上説明したとおり、反射板２の素子アンテナ１と送受信モジュール３は直接接続されるのではなく、接続ケーブル４を介して電気的に接続されているので、素子アンテナ１の配列間隔は送受信モジュール３のサイズに制約されない。したがって、素子アンテナ１を反射板２上に高密度に実装することが可能となり、フェーズドアレイアンテナの性能改善に寄与するという効果を奏する。また、素子アンテナ１が設けられた反射板２はヒンジ７によってアンテナ筐体１４に設けられるので、アンテナ筐体１４内の送受信モジュール３にアクセスする際の開閉扉としての機能を果す。したがって、反射板２がアンテナ筐体１４にねじ止めされている場合や、スライド溝に嵌合されている場合に比べて、アンテナ装置の定期的な保守、点検、整備、並びに故障した送受信モジュールの交換作業が容易に行うことが可能である。
【００１７】
実施の形態５．
実施の形態４に係るフェーズドアレイアンテナ装置は、ヒンジ７を回転軸として開閉可能なアンテナ筐体１４の片側開き扉としての機能を果す反射板２を設けていた。以下説明する実施の形態５に係るフェーズドアレイアンテナ装置は、実施の形態３で説明したように反射板２を２分割し、それぞれをヒンジを介してアンテナ筐体１４に取り付けることで両開き扉としての機能を果す反射板を設けたものである。
【００１８】
図５はこの発明の実施の形態５に係るフェーズドアレイアンテナ装置の構成を示す説明図である。図５において、反射板は反射板２ａ、反射板２ｂに２分割されて構成されている。そして、この２分割された反射板２ａ、反射板２ｂに素子アンテナ１が配列されている。素子アンテナ１がそれぞれ配列された反射板２ａ、反射板２ｂは、ヒンジ７ａ、ヒンジ７ｂを用いてアンテナ筐体１４に接続される。これらの反射板２ａ、反射板２ｂはそれぞれヒンジ７ａ、７ｂを回転軸として手前方向に開くので、アンテナ筐体１４に設けられた両開き扉としての機能を果す。反射板２ａ、２ｂに配設された素子アンテナ１は、アンテナ筐体１４に収納された送受信モジュール３と接続ケーブル４を介して電気的に接続される。この接続ケーブル４は、反射板２ａ、反射板２ｂを開けることができる程度に充分な長さを持たせておくとよい。
【００１９】
このように、反射板は２ａと２ｂに２分割されているので、アンテナ筐体１４内の送受信モジュール３を交換する際、交換する送受信モジュール３側の反射板２ａまたは２ｂのいずれか一方を移動させればよいので、送受信モジュールの交換作業を含むアンテナ装置の定期的な保守、点検、整備を容易に行うことができる。また、これらの反射板２ａ、２ｂはヒンジ７ａ、７ｂによりアンテナ筐体１４に接続された両開き扉としての機能を果すため、例えば交換が必要な送受信モジュール３側の反射板のみを開くことにより容易に移動させることができる。さらに、反射板２ａ、２ｂの素子アンテナ１と送受信モジュール３は直接接続されるのではなく、接続ケーブル４を介して電気的に接続されているので、素子アンテナ１の配列間隔は送受信モジュール３のサイズに制約されない。したがって、素子アンテナ１を反射板２ａ、２ｂ上に高密度に実装することが可能となり、フェーズドアレイアンテナの性能改善に寄与するという効果を奏する。
【００２０】
特に、上記説明に係る反射板２ａ、２ｂはアンテナ筐体１４内の送受信モジュールにアクセスするための両開き扉として機能するため、片側開き扉として機能する図４に示す反射板２に比べて、アンテナ筐体１４前面における扉の開閉に要するスペースに余裕がない場合に好適である。
【００２１】
実施の形態６．
図６はこの発明の実施の形態６に係るフェーズドアレイアンテナ装置の構成を示す説明図である。図６において、素子アンテナ１は反射板２に所定の間隔をあけて配列される。この反射板２に配列された素子アンテナ１は可撓性の接続ケーブル４にそれぞれ接続される。この接続ケーブル４は更に電気コネクタ６を介して、アンテナ筐体１４内に収納されている送受信モジュール３と電気的に接続される。このように、反射板２に配列された素子アンテナ１が接続ケーブル４を介して送受信モジュール３に接続される構成は実施の形態１において説明した構造と同様のものである。
【００２２】
所定間隔で素子アンテナ１が配列された反射板２は、反射板２を平面内で回転させるための、例えば軸のような反射板回転構造８によりアンテナ筐体１４に設けられる。この反射板回転構造８は反射板２を正面から見た場合の四隅のうちのひとつに設けられ、これを軸心として、アンテナ筐体１４内の送受信モジュールにアクセスする際に反射板２を回転させる。反射板２に設けられた各素子アンテナ１と送受信モジュール３を電気的に接続する接続ケーブル４は、メンテナンス作業の障害にならない程度に反射板２を回転させることができる充分な長さを持たせておくとよい。
【００２３】
以上説明したとおり、反射板２の素子アンテナ１と送受信モジュール３は直接接続されるのではなく、接続ケーブル４を介して電気的に接続されているので、素子アンテナ１の配列間隔は送受信モジュール３のサイズに制約されない。したがって、素子アンテナ１を反射板２上に高密度に実装することが可能となり、フェーズドアレイアンテナの性能改善に寄与するという効果を奏する。また、素子アンテナ１が設けられた反射板２は反射板回転構造８によりアンテナ筐体１４に設けられるので、アンテナ装置の定期的な保守、点検、整備、並びに故障した送受信モジュールの交換作業が容易に行うことが可能である。特に、反射板回転構造８によりアンテナ筐体１４に固定された反射板２は平面内で回転されるため、アンテナ筐体前面に開閉する開閉式の反射板と比べて、アンテナ筐体前面のスペースに余裕がない場合に好適である。
【００２４】
実施の形態７．
実施の形態４に係るフェーズドアレイアンテナ装置は、ヒンジ７を回転軸として開閉可能なアンテナ筐体１４の片側開き扉としての機能を果す反射板２を設けていた。以下説明する実施の形態７に係るフェーズドアレイアンテナ装置は、２分割した反射板のうち、第１の反射板をヒンジを介してアンテナ筐体１４に取り付け、第２の反射板をヒンジを介して第１の反射板に対して折りたたみ可能に取り付け、第１の反射板が手前に開かれるのに伴って第２の反射板が折りたたまれるように構成したものである。
【００２５】
図７はこの発明の実施の形態７に係るフェーズドアレイアンテナ装置の構成を示す説明図である。図７において、反射板は２分割された第１の反射板２ｃと第２の反射板２ｄより構成される。そして第１の反射板２ｃはヒンジ７ａを介してアンテナ筐体１４に開閉可能に取り付けられる。一方、第２の反射板２ｄはヒンジ７ｃを介して第１の反射板２ｃに対して折りたたみ可能に取り付けられる。これらの第１の反射板２ｃと第２の反射板２ｄのそれぞれには素子アンテナ１が所定の間隔をあけて配列される。第１の反射板２ｃ及び第２の反射板２ｄに配列された素子アンテナ１は可撓性の接続ケーブル４を介して、アンテナ筐体１４内に収納されている送受信モジュール３と電気的に接続される。
【００２６】
第１の反射板２ｃをアンテナ筐体１４の手前方向に開くと、ヒンジ７ｃを介して第１の反射板２ｃと接続された第２の反射板２ｄは、第１の反射板２ｃに引き寄せられて折りたたまれる。上記の第１の反射板２ｃ及び第２の反射板２ｄは、アンテナ筐体１４内の送受信モジュール３にアクセスするための開閉扉として機能する点で、片側扉として機能する実施の形態４の反射板２と同様、アンテナ装置の定期的な保守、点検、整備、並びに故障した送受信モジュールの交換作業を容易に行うことが可能である。特に、片側開き扉として機能する実施の形態４の反射板２と比べて、上記説明の第１の反射板２ｃと第２の反射板２ｄは開状態で折りたたまれた状態になるので、アンテナ筐体１４前面のスペースに余裕がない場合に好適である。
【００２７】
以上説明したとおり、反射板２の素子アンテナ１と送受信モジュール３は直接接続されるのではなく、接続ケーブル４を介して電気的に接続されているので、素子アンテナ１の配列間隔は送受信モジュール３のサイズに制約されない。したがって、素子アンテナ１を反射板２上に高密度に実装することが可能となり、フェーズドアレイアンテナの性能改善に寄与するという効果を奏する。
【００２８】
また、素子アンテナ１が設けられた第１の反射板２ｃと第２の反射板２ｄは、アンテナ筐体１４内の送受信モジュール３にアクセスする際の開閉扉としての機能を果す。したがって、アンテナ装置の定期的な保守、点検、整備、並びに故障した送受信モジュールの交換作業が容易に行うことが可能である。
【００２９】
さらに、ヒンジ７ａを介してアンテナ筐体１４に接続された第１の反射板２ｃに、第２の反射板２ｄがヒンジ７ｃを介して折りたたみ可能に接続されるので、第１の反射板２ｃと第２の反射板２ｄは開状態で折りたたまれた状態になる。したがって、片側開き扉として機能する実施の形態４の反射板２と比べて、アンテナ筐体１４前面のスペースを小さくすることができる。
【００３０】
実施の形態８．
図８はこの発明の実施の形態８に係るフェーズドアレイアンテナ装置の構成を示す説明図である。図８において、素子アンテナ１は反射板２に所定の間隔をあけて配列される。この反射板２に配列された素子アンテナ１は可撓性の接続ケーブル４を介して、アンテナ筐体１４内に収納されている送受信モジュール３と電気的に接続される。所定間隔で素子アンテナ１が配列された反射板２は、反射板をアンテナ筐体１４に対して上下にスライドさせる反射板スライド構造９に取り付けられる。
【００３１】
上記説明に係るフェーズドアレイアンテナ装置は、反射板２の素子アンテナ１と送受信モジュール３は直接接続されるのではなく、接続ケーブル４を介して電気的に接続されているので、素子アンテナ１の配列間隔は送受信モジュール３のサイズに制約されない。したがって、素子アンテナ１を反射板２上に高密度に実装することが可能となり、フェーズドアレイアンテナの性能改善に寄与するという効果を奏する。また、素子アンテナ１が設けられた反射板２は反射板スライド構造９によりアンテナ筐体１４に設けられるので、アンテナ装置の定期的な保守、点検、整備、並びに故障した送受信モジュールの交換作業が容易に行うことが可能である。特に、反射板スライド構造９によりアンテナ筐体１４に固定された反射板２は上下あるいは左右方向に平面内で移動されるため、アンテナ筐体前面に開閉する開閉式の反射板と比べて、アンテナ筐体前面のスペースに余裕がない場合に好適である。
【００３２】
実施の形態９．
図９はこの発明の実施の形態９に係るフェーズドアレイアンテナ装置の構成を示す説明図である。図９にぉいて、反射板２上には素子アンテナ１が所定間隔で配列されている。反射板２に設けられた各素子アンテナ１は、アンテナ筐体１４内に収納された送受信モジュール３と接続ケーブル４により電気的に接続されている。この反射板２はヒンジ７を用いてアンテナ筐体１４に接続されており、伸縮駆動機構１２により、反射板２のヒンジ７が設けられた端部と反対側の端部を開口面の手前に押し出すことで、反射板２はヒンジ７を回転軸として反射板２に配列された複数の素子アンテナからの電波放射方向を、筐体の開口方向に対して角度を変えることができる。
【００３３】
このように、伸縮駆動機構１２を伸縮させることにより、ヒンジ７を回転軸として電波放射方向を筐体の開口方向に対して角度を変えることができる。このとき、アンテナ筐体１４は固定のままで、電波放射方向を筐体の開口面に対して角度をかえることができるため、フェーズドアレイアンテナの見通し範囲を広げることができる。電波放射方向を変える際に、アンテナ筐体１４ごと回転させるのではなく、反射板２のみを動かすため、伸縮駆動機構１２の寸法、質量、区動電力を最小限に抑えることができる。
【００３４】
また、図１０において、反射板２は反射板回転構造８により平面内で回転可能にアンテナ筐体１４に設けられている。この反射板２は回転駆動機構１３ａにより回転力が与えられると、反射板２を支持する回転ガイド部１３ｂに沿って平面内で回転する。このように、反射板２は回転駆動機構１３ａから回転力が与えられると、回転ガイド部１３ｂに沿って平面内で回転するので、アンテナ開口面を任意の方向に傾けることで、その偏波を変えることが可能になる。また、回転駆動機構１３ａは反射板２のみをアンテナ開口平面内で回転させるため、アンテナ筐体１４ごと傾ける機構に比べて装置の寸法、質量、電力を最小限に抑えることができる。
【００３５】
実施の形態１０．
実施の形態１に係るフェーズドアレイアンテナ装置は、反射板２上に所望の間隔で配列された素子アンテナ１が、アンテナ筐体１４内に収納された送受信モジュール３と接続ケーブル４を介して接続される。この接続ケーブル４は、送受信モジュール３のアンテナ筐体１４の開口側に設けられた電気コネクタ６と接続されていた。実施の形態１０に係るフェーズドアレイアンテナ装置は、送受信モジュール３のアンテナ筐体１４の開口側ではなく、アンテナ筐体１４の背面側より接続ケーブル５を導出するものである。
【００３６】
図１１はこの発明の実施の形態１０に係るフェーズドアレイアンテナ装置の構成を示す説明図である。図１１において、送受信モジュール３はアンテナ筐体１４の開口面とは反対側、つまりアンテナ筐体１４の背面側にプラグイン型の電気コネクタ１０が設けられている。この電気コネクタ１０にモジュール側接続ケーブル５ｂが接続されてアンテナ筐体１４に開口面に引き出される。一方、反射板２上に所定のピッチで配列された各素子アンテナ１はそれぞれ素子アンテナ側接続ケーブル５ａに接続されている。そして、素子アンテナ側接続ケーブル５ａとモジュール側接続ケーブル５ｂが中継ケーブル５ｃにより接続されることにより、素子アンテナ１と送受信モジュール３が電気的に接続される。このように、送受信モジュール３のアンテナ筐体１４の開口側ではなく、アンテナ筐体１４の背面側より接続ケーブル５ｂを導出し、素子アンテナ側の接続ケーブル５ａと中継ケーブル５ｃで接続することにより、送受信モジュール側ケーブル５ｂを外さずに送受信モジュール３の交換作業を行うことができる。
【００３７】
実施の形態１１．
実施の形態１に係るフェーズドアレイアンテナ装置は、反射板２上に所望の間隔で配列された素子アンテナ１が、アンテナ筐体１４内に収納された送受信モジュール３と接続ケーブル４を介して接続される。以下、説明する実施の形態１１に係るフェーズドアレイアンテナ装置は、素子アンテナ１と送受信モジュール３を接続ケーブルではなくプラグインコネクタが設けられた基板を介して電気的に接続するものである。
【００３８】
図１２はこの発明の実施の形態１１に係るフェーズドアレイアンテナ装置の構成を示す説明図である。図１２において、素子アンテナ１と送受信モジュールを接続するための中継基板１１は、送受信モジュール３に対向する面に送受信モジュール３の配列に対応する間隔でプラグイン型のコネクタ１０ｃが形成されている。そして、中継基板１１の素子アンテナ１に対向する面には、素子アンテナ１の配列に対応する間隔でプラグイン型のコネクタ１０ｂが形成されている。素子アンテナ１と接続された電気コネクタ１０ａは中継基板１１のコネクタ１０ｂに嵌合され、送受信モジュール３は中継基板１１のコネクタ１０ｃに嵌合されることで、素子アンテナ１と送受信モジュール３は電気的に接続される。
【００３９】
以上のように、中継基板１１には、素子アンテナと対向する面には素子アンテナの配列間隔に対応してコネクタが設けられ、送受信モジュールと対向する面には送受信モジュールの配列間隔に対応してコネクタが設けられているので、それぞれ配列間隔が異なる素子アンテナと送受信モジュールを電気的に接続することができる。したがって、素子アンテナ１と送受信モジュール３が直接接続される場合のように、素子アンテナ１の配列間隔は送受信モジュール３のサイズに制約されないので、素子アンテナ１を反射板２上に高密度に実装することが可能となり、フェーズドアレイアンテナの性能改善に寄与する。
【００４０】
また、アンテナ筐体１４内の送受信モジュール３にアクセスする際には、反射板２を手前に移動させることにより、複数の素子アンテナ１のコネクタ１０ａと中継基板１１のコネクタ１０ｂとの接続が同時に解除されるため、アンテナ装置の定期的な保守、点検、整備、並びに故障した送受信モジュールの交換作業が容易に行うことが可能である。
【００４１】
【発明の効果】
このアンテナに係るフェーズドアレイアンテナ装置は、素子アンテナと、この素子アンテナが所定間隔だけ離隔して配設された反射板と、この反射板と対向する方向に開口する筐体内に収納され、前記素子アンテナを励振させる送受信モジュールと、前記素子アンテナと前記送受信モジュールを電気的に接続する接続ケーブルとを設けたので、素子アンテナ１と送受信モジュール３が直接接続される場合のように、素子アンテナ１の配列間隔は送受信モジュール３のサイズに制約されないので、素子アンテナ１を反射板２上に高密度に実装することが可能となり、フェーズドアレイアンテナの性能改善に寄与する。
【図面の簡単な説明】
【図１】この発明の実施の形態１に係るフェーズドアレイアンテナ装置の構成を示す説明図である。
【図２】この発明の実施の形態２に係るフェーズドアレイアンテナ装置の構成を示す説明図である。
【図３】この発明の実施の形態３に係るフェーズドアレイアンテナ装置の構成を示す説明図である。
【図４】この発明の実施の形態４に係るフェーズドアレイアンテナ装置の構成を示す説明図である。
【図５】この発明の実施の形態５に係るフェーズドアレイアンテナ装置の構成を示す説明図である。
【図６】この発明の実施の形態６に係るフェーズドアレイアンテナ装置の構成を示す説明図である。
【図７】この発明の実施の形態７に係るフェーズドアレイアンテナ装置の構成を示す説明図である。
【図８】この発明の実施の形態８に係るフェーズドアレイアンテナ装置の構成を示す説明図である。
【図９】この発明の実施の形態９に係るフェーズドアレイアンテナ装置の構成を示す説明図である。
【図１０】この発明の実施の形態１０に係るフェーズドアレイアンテナ装置の構成を示す説明図である。
【図１１】この発明の実施の形態１０に係るフェーズドアレイアンテナ装置の構成を示す説明図である。
【図１２】この発明の実施の形態１１に係るフェーズドアレイアンテナ装置の構成を示す説明図である。
【図１３】一般的なフェーズドアレイアンテナ装置の構成を示す説明図である。
【符号の説明】
１  素子アンテナ、２  反射板、３  送受信モジュール、４  接続ケーブル、
５  接続ケーブル、６  電気コネクタ、７  ヒンジ、８  反射板回転構造、
９  反射板スライド構造、１０  電気コネクタ、１１  中継基板、
１２  伸縮駆動機構、１３ａ  回転駆動部、１３ｂ  回転ガイド部、
１４  アンテナ筐体
【図１】
2004215159.tif 000003
【図２】
2004215159.tif 000004
【図３】
2004215159.tif 000005
【図４】
2004215159.tif 000006
【図５】
2004215159.tif 000007
【図６】
2004215159.tif 000008
【図７】
2004215159.tif 000009
【図８】
2004215159.tif 000010
【図９】
2004215159.tif 000011
【図１０】
2004215159.tif 000012
【図１１】
2004215159.tif 000013
【図１２】
2004215159.tif 000014
【図１３】
2004215159.tif 000015